(57)【要約】【課題】  部分上パネルが箱体の端部上面に確実に固定されるようにし、取り扱い中の箱体の構造維持を確実にする。【解決手段】  トレイ形包装用箱は、底パネル１の対向する２辺から箱体の側壁を形成する側パネルを２、２起立させ、底パネル１の対向する他の２辺から箱体の端壁を形成する端パネル３、３を起立させ、隣接するこれら側パネル２、２と端パネル３、３とを互いに固定して上面を開口した箱体を形成すると共に、端パネル３、３に連ねて設けた部分上パネル４、４を箱体の端部寄りの上面に固定することにより、部分上パネル４、４で箱体の端部上面を覆っている。側パネル２、２の端部近くに切込み９、９を設け、部分上パネル４、４の両側に連ねて設けた側補助フラップ６、６を前記側パネル２、２の端部外面に添え、側補助フラップ６、６の差込タブ８、８を前記切込み９、９から側パネル２、２の内側に挿入し、押えタブ７、７で前記差込タブ８、８を押さえる。【選択図】      図２
2006021808.tif 000002
【特許請求の範囲】
【請求項１】
底パネル（１）の対向する２辺から箱体の側壁を形成する側パネルを（２）、（２）起立させ、底パネル（１）の対向する他の２辺から箱体の端壁を形成する端パネル（３）、（３）を起立させ、隣接するこれら側パネル（２）、（２）と端パネル（３）、（３）とを互いに固定して上面を開口した箱体を形成すると共に、端パネル（３）、（３）に連ねて設けた部分上パネル（４）、（４）を箱体の端部寄りの上面に固定することにより、部分上パネル（４）、（４）で箱体の端部上面を覆ったトレイ形包装用箱において、側パネル（２）、（２）の端部近くに切込み（９）、（９）を設け、部分上パネル（４）、（４）の両側に連ねて設けた側補助フラップ（６）、（６）を前記側パネル（２）、（２）の端部外面に添えると共に、側補助フラップ（６）、（６）の差込タブ（８）、（８）を前記切込み（９）、（９）から側パネル（２）、（２）の内側に挿入し、この切込み（９）、（９）により側パネル（２）、（２）から切り出された押えタブ（７）、（７）で前記差込タブ（８）、（８）を押さえたことを特徴とするトレイ形包装用箱。
【請求項２】
差込タブ（８）、（８）を切込み（９）、（９）から側パネル（２）、（２）の内側に挿入した状態で差込タブ（８）、（８）を折り返したことを特徴とする請求項１に記載のトレイ形包装用箱。
【発明の詳細な説明】
【技術分野】
【０００１】
本発明は、底パネルの対向する２辺から箱体の側壁を形成するパネルを起立させ、底パネルの対向する他の２辺から箱体の端壁を形成するパネルを起立させ、隣接する側壁のパネルと端壁のパネルとを互いに連結して上面を開口する箱体を形成したトレイ形包装用箱に関し、特に箱体内部に果物等を収納するトレイ状のパッケージ容器を収納するトレイ形包装用箱に関する。
【背景技術】
【０００２】
例えば、イチゴ等の生鮮果実を収納したパッケージ容器を収納して出荷する箱体として前述のようなトレイ形包装用箱が多く使用されている。
このトレイ形包装用箱は、矩形の底パネルの対向する２辺から側パネルを起立させ、底パネルの対向する他の２辺から端パネルを起立させる。そして例えば、側パネルの両側に延設した連結フラップを端パネル側で連結するか、或いは逆に端パネルの両側に延設した連結フラップを側パネル側で連結することにより、隣接する側パネルと端パネルとを互いに固定したものである。
【０００３】
このようなトレイ形包装用箱は、長さや幅の寸法に比べて比較的浅く、仕切により４つに区画し、それぞれの区画にイチゴのパッケージ容器を収納する。そのために、対向する側パネルの間と対向する端パネルの間にそれぞれ仕切パネルを渡し、これら仕切パネルを中央で互いに差し込んで直交状に交差させている。イチゴのパッケージ容器は、ポリエチレンテレフタレート等からなる薄い透明な樹脂製の容器で、平面長方形であり、側面及び端面が逆台形であり、開口部周囲に一体にフランジが延設されている。
【０００４】
このようなトレイ形包装用箱は、イチゴ等の生鮮果実の生産農家が収穫した生鮮果実を出荷するときにブランクから組み立て、その中に出荷する生鮮果実を収納したパッケージ容器を詰めてその生鮮果実を出荷する。そして、市場での競り売り等を経て、小売店の店頭に並べられる。小売店の店頭では、パッケージ容器を一単位として生鮮果実が小売りされる。
【０００５】
イチゴのこのような流通過程において、生鮮果実の傷みを防止し、鮮度を保持するためには、荷物の取扱中にトレイ形包装用箱に収納梱包された生鮮果実に外力が及ばないようにしなければならない。そのため例えば、特開２００３−３１２６４０号公報に記載されたように、端パネルに連ねて設けた「桟」と呼ばれる部分上パネルを箱体の端部寄りの上面に固定することにより、箱体の端部を補強すると共に、その端部上面を覆うようにした包装用箱が使用されている。このような包装用箱では、前記の部分上パネルが箱体の端部を補強するので、箱体のゆがみが防止されると共に、この部分上パネルが箱体の端部上面を部分的に覆うことで、中に収納したイチゴパック等が上下に動かないように押えられる。なお且つ箱体を複数段重ねたときに、部分上パネルが上の箱体の荷重を支え、イチゴパックに荷重がかかるのを防止する。
【０００６】
前記の特開２００３−３１２６４０号公報に記載された従来のトレイ形包装用箱では、部分上パネルの両端に延設したタブを箱体の側壁両端の上縁に設けたスリット（係止穴）に差し込むことで部分上パネルを箱体の端部上面に固定している。
しかしながら、このような包装用箱では、部分上パネルの両端のタブが箱体の側壁のスリットから抜けて外れやすいため、包装用箱を取り扱う際に、包装用箱が荷崩れしやすいという課題がある。
【特許文献１】特開２００３−３１２６４０号公報
【特許文献２】特開２００２−１９７６８号公報
【特許文献３】特開２００２−３０２１１８号公報
【発明の開示】
【発明が解決しようとする課題】
【０００７】
本発明は、前述のような従来のトレイ形包装用箱の課題に鑑み、トレイ形包装用箱の部分上パネルが箱体の端部上面に確実に固定されるようにし、これにより、取り扱い中の箱体の構造維持が確実であり、しかもそれが簡単な組立手順のみで実現が可能なトレイ形包装用箱を提供することを目的とする。
【課題を解決するための手段】
【０００８】
本発明では、前記の目的を達成するため、端パネル３、３に連ねて設けた部分上パネル４、４の両側に側補助フラップ６、６を連ねて設け、この側補助フラップ６、６を側パネル２、２の端部外面に添え、さらにこの側補助フラップ６、６から延設された差込タブ８、８を側パネル２、２の切込み９、９に挿入し、この切込み９、９により切り出された押えタブ７、７で切込み９、９から側パネル２、２の中に挿入した差込タブ８、８を押さえるようにした。
【０００９】
すなわち、トレイ形包装用箱は、底パネル１の対向する２辺から箱体の側壁を形成する側パネルを２、２起立させ、底パネル１の対向する他の２辺から箱体の端壁を形成する端パネル３、３を起立させ、隣接するこれら側パネル２、２と端パネル３、３とを互いに固定して上面を開口した箱体を形成すると共に、端パネル３、３に連ねて設けた部分上パネル４、４を箱体の端部寄りの上面に固定することにより、部分上パネル４、４で箱体の端部上面を覆ったものである。
【００１０】
本発明では、このようなトレイ形包装用箱において、側パネル２、２の端部近くに切込み９、９を設け、部分上パネル４、４の両側に連ねて設けた側補助フラップ６、６を前記側パネル２、２の端部外面に添えると共に、側補助フラップ６、６の差込タブ８、８を前記切込み９、９から側パネル２、２の内側に挿入し、この切込み９、９により側パネル２、２から切り出された押えタブ７、７で前記差込タブ８、８を押さえるものである。切込み９、９から側パネル２、２の内側に挿入した差込タブ８、８は、折り返えす。
【００１１】
このような本発明によるトレイ形包装用箱では、箱体の端壁を形成する端パネル３、３と箱体の部分上壁を形成する部分上パネル４、４とが一体となっており、さらに部分上パネル４、４が差込タブ８、８により箱体の側壁を形成する側パネル２、２に連結された側補助フラップ６、６と一連に連なっている。そして、側補助フラップ６、６の差込タブ８、８は、側パネル２、２の切込み９、９からその中に挿入され、押えタブ７、７で押さえられている。このため、箱体の端部において、側パネル２、２、端パネル３、３及び部分上パネル４、４が相互に固定され、補強された連結構造が得られる。
【００１２】
さらに、部分上パネル４、４の差込タブ７、７が側パネル２、２の上側にから差し込まれるのではなく、側補助フラップ６、６の差込タブ８、８により箱体の側壁において側パネル２、２の切込み９、９に差し込まれるため、差込タブ８、８が側パネル２、２から簡単に抜けない。このため、部分上パネル４、４と側パネル２、２とが簡単に分離せず、箱の崩れが起こらないため、荷崩れしにくいトレイ形包装箱となる。
【発明の効果】
【００１３】
以上説明した通り、本発明によるトレイ形包装用箱では、箱体の端部の組立強度が強く、部分上パネル４、４が容易に外れない。これにより、イチゴパック等を収納したトレイ形包装用箱を多段に積み上げて取り扱った場合でも、耐久性があり、なお且つ荷崩れのしにくいものとなる。
【発明を実施するための最良の形態】
【００１４】
本発明では、箱体の端部において、端パネル３、３、部分上パネル４、４及び側補助フラップ６、６を順次連ねて固定すると共に、側補助フラップ６、６から延設した差込タブ８、８と側パネル２、２の押えタブ７、７とにより側補助フラップ６、６を側パネル２、２の側部で確実に固定するようにした。
以下、このような本発明の実施例について、図面を参照しながら具体例を挙げて詳細に説明する。
【実施例１】
【００１５】
図１〜図４は、本発明によるトレイ形包装用箱の実施例を示す図である。図１がトレイ形包装用箱のブランクの展開図であり、図２が箱体の組立途中の状態、図３が箱体の組立が完了したが、仕切パネルとトレイを外に出した状態の図、図４がその要部の横断拡大断面図である。
【００１６】
図１に示す包装用箱のブランクは、厚紙により形成され、最も一般的には、波状に折り曲げた紙製の中芯をその両側から紙製のライナーでラミネートした段ボール板により形成される。図１において、実線は外形線と切断線、破線は折線を表す。
矩形の底パネル１の両側部、すなわち図１において底パネル１の上下両辺となる折線から一対の側パネル２、２が延設されている。この側パネル２、２の幅、すなわち図１において左右の寸法は、底パネル１の側辺の長さとほぼ同じである。
【００１７】
この側パネル２、２の両端、すなわち図１において側パネル２、２の左右両側に近い位置であって、底パネル１との境界である折線に近い位置にコ字形の切込み９、９が設けられている。この切込み９は、平行な一対の切断線とこれら切断線の側パネル２、２の両端に近い側の端部を連ねる直交する切断線とからなる。こられ平行な一対の切断線の他方の端部の間には、直交する折線が設けられている。平行な一対の切断線のうち、一方の切断線は、底パネル１との境界である折線とブランクである段ボール板の厚さ程度のごく近い位置に設けられている。
【００１８】
矩形の底パネル１の両端部、すなわち図１において底パネル１の左右両辺となる折線から一対の端パネル３、３が延設されている。この端パネル２、２の幅、すなわち図１において上下の寸法は、底パネル１の端辺の長さとほぼ同じである。
これら端パネル３、３の両側からは、内側補助フラップ５、５が折線を介して一体に延設されている。この内側補助フラップ５、５は、後述するようにして箱体を組み立てる際に、端パネル３、３の両側で折線から箱体の内側に曲げられて、前記側パネル２、２の両端部の内側に添えられる。このとき内側補助フラップ５、５が側パネル２、２に設けた切込み９、９を覆わないように、内側補助フラップ５、５には切込み９、９に対する逃げとしての切欠きが設けられ、全体としてＬ字形を呈している。
【００１９】
端パネル３、３の先には、折線を介して部分上パネル４、４が連なっている。この端パネル３、３と部分上パネル４、４との折線は、端パネル３、３と底パネル１との折線と平行であり、これら２本の折線の間隔が端パネル３、３の高となる。
部分上パネル４、４の中央は凹状の窪みが設けられ、中央部の幅が狭く、両側の幅が広くなっている。この部分上パネル４、４の両側からは、折線を介して側補助フラップ６、６が延設されている。この側補助フラップ６、６の中央には図１において両側に開くＶ字形の切欠き１２、１２が形成され、この切欠き１２、１２の先は小片状の一体の差込タブ８、８となっている。この切欠き１２、１２により、差込タブ８、８は図１において左右側に延設されたような四角の舌片状となっている。差込タブ８、８の基部には平行な２本の折線が形成されている。
【００２０】
このようなブランクからトレイ形包装用箱を組み立てる手順について次に説明する。
まず、図１に示すブランクにおいて、側パネル２、２を底パネル１との折線から図１において紙面の手前側にほぼ９０゜折り曲げ、側パネル２、２を箱体の側面側に立てる。
次に、端パネル３、３の両側の折線から内側補助フラップ５、５を何れも内側、すなわち図１において紙面の手前側に９０゜折り曲げ。内側補助フラップ５、５を端パネル３、３の両側で予め起こしておく。その後、端パネル３、３を底パネル１との折線から図１において紙面の手前側にほぼ９０゜折り曲げ、端パネル３、３を箱体の端面側に立てる。このとき、前記内側補助フラップ５、５を何れも側パネル２、２の両端部の内側に挿入して添える。
【００２１】
次に、部分上パネル４、４を端パネル３、３との折線から９０゜内側に折り曲げ、部分上パネル４、４を箱体の端部の上面に載せる。さらに、部分上パネル４、４の両側の側補助フラップ６、６を部分上パネル４、４との折線から９０゜内側に折り曲げ、側補助フラップ６、６を側パネル２、２の端部の外側に添える。さらに、側補助フラップ６、６の差込タブ８、８を側パネル２、２の切込み９、９から側パネル２、２の内側に挿入する。すると、切込み９、９により側パネル２、２から切り出された押えタブ７、７が前記差込タブ８、８を押さえる。切込み９、９から側パネル２、２の内側に挿入した差込タブ８、８は、折り返えす。この切込み９、９から側パネル２、２の内側に挿入した差込タブ８、８の部分を図４に示す。
【００２２】
これにより、トレイ形包装用箱の組立が完了する。図２は、箱体の一方の端部を組み立て、他方の端パネル３、内側補助フラップ５、５、部分上パネル４、４及び側補助フラップ６、６を展開した状態を示す。また図３は、箱体の双方の端部を組み立てた状態を示す。図３では分かりやすいように、一対の縦横の仕切パネル１３、１４により組み立てられる仕切と、その仕切の間に収納されるパッケージ容器１５を箱体の中に収める前の状態を示している。仕切パネル１３、１４はそれらの中央部の上下にそれぞれ設けた差込溝１６、１７を互いに差し込むことにより、平面十字状に組み立てられる。この仕切パネル１３、１４とパッケージ容器１５は、部分上パネル４、４を箱体の端部上面に折り曲げる前に、すなわち底パネル１から端パネル３、３を立てた後に箱体の中に収納される。
【実施例２】
【００２３】
図５〜図８は、本発明によるトレイ形包装用箱の他の実施例を示す図である。図５がトレイ形包装用箱のブランクの展開図であり、図６が箱体の組立途中の状態、図７が箱体の組立が完了した状態の図、図８がその要部の横断拡大断面図である。
この実施例は、基本的に図１〜図４により前述した実施例と共通しており、同じ部分は同じ符号で示している。図５に示したブランクの展開図における実線、破線、二点鎖線の意味も図１に示したブランクと同様である。
【００２４】
この実施例によるトレイ形包装用箱が図１〜図４により前述した実施例のトレイ形包装用箱と相違する点は、端パネル３、３の両側に内側補助フラップ５、５が無く、その代わりに、側補助フラップ６、６の差込タブ８、８と反対側に折線を介して内端補助フラップ１０、１０を設けている点である。部分上パネル４、４を端パネル３、３との折線から９０゜内側に折り曲げ、部分上パネル４、４を箱体の端部の上面に載せるのに先行して側補助フラップ６、６に対して折線で内端補助フラップ１０、１０を９０゜内側に折り曲げておき、部分上パネル４、４を箱体の端部の上面に載せながら前記内端補助フラップ１０、１０を端パネル３の内側に挿入する。
【００２５】
さらに他に細かい相違点はあるが、基本的には図１〜４により前述した前記の実施例によるトレイ形包装用箱と同じである。例えば、側補助フラップ６、６の差込タブ８、８を側パネル２、２の切込み９、９から側パネル２、２の内側に挿入し、切込み９、９により側パネル２、２から切り出された押えタブ７、７が前記差込タブ８、８を押さえる構造は基本的に図１〜４により前述した前記の実施例によるトレイ形包装用箱と同じである。
【００２６】
なお、以上の各実施例の説明において、箱体の側面と端面は、箱体の上面と底面を除く４面を対向する２組ずつの面に区分して説明するためのもので、箱体の絶対的な位置関係を意味するものではない。それ故例えば、「側パネル２、２」を「端パネル２、２」と言い換え、「端パネル３、３」を「側パネル３、３」と言い換えることもできることはもちろんである。
【図面の簡単な説明】
【００２７】
【図１】本発明の一実施例によるトレイ形包装用箱を組み立てる前のブランクを一部切り欠いて示した平面図である。
【図２】同実施例によるトレイ形包装用箱を組み立てる途中の状態を示す斜視図である。
【図３】同実施例によるトレイ形包装用箱の組み立てが完了した状態を示す斜視図である。
【図４】同実施例によるトレイ形包装用箱の組み立てが完了した状態の要部の横断拡大断面図である。
【図５】本発明の他の実施例によるトレイ形包装用箱を組み立てる前のブランクを一部切り欠いて示した平面図である。
【図６】同実施例によるトレイ形包装用箱を組み立てる途中の状態を示す斜視図である。
【図７】同実施例によるトレイ形包装用箱の組み立てが完了した状態を示す斜視図である。
【図８】同実施例によるトレイ形包装用箱の組み立てが完了した状態の要部の横断拡大断面図である。
【符号の説明】
【００２８】
１  底パネル
２  側パネル
３  端パネル
４  部分上パネル
６  側補助フラップ
７  側パネルの押えタブ
８  側補助フラップの差込タブ
９  側パネルの切込み
【図１】
2006021808.tif 000003
【図２】
2006021808.tif 000004
【図３】
2006021808.tif 000005
【図４】
2006021808.tif 000006
【図５】
2006021808.tif 000007
【図６】
2006021808.tif 000008
【図７】
2006021808.tif 000009
【図８】
2006021808.tif 000010